(57)【特許請求の範囲】
【請求項１】
枠材が枠組されてなる枠体と、枠体の内周に装着されるパネル体と、パネル体の枠体からの外れを防止するためのパネル外れ止めを備え、
枠材は、枠材本体と枠材本体の内周部分に配置される押縁部材とを有し、枠材本体と押縁部材とによってパネル体を保持するパネル間口が形成されており、
パネル間口の底壁部分にパネル外れ止めが取り付けられているとともに、パネル間口を形成する枠材本体部分におけるパネル外れ止めの見込み方向一方側の室外側見付壁に加熱発泡材が枠材の長手方向略全長に亘って配置してあり、
パネル外れ止めは、パネル間口の底壁部分に固定されるベース金具と、ベース金具に対して見込み方向の他方側から嵌合可能でありパネル体の他方側面に当接もしくは近接するガラス受け面を有する受け金具とからなり、
ベース金具には、発泡した加熱発泡材がベース金具内の他方側に入り込むための欠損部が室外側見付壁に形成されている
ことを特徴とする建具。
【発明の詳細な説明】
【技術分野】
【０００１】
建物の開口部に設けられ、火災時にガラスの脱落を防止するガラス外れ止め金具を備える防火サッシに関する。
【背景技術】
【０００２】
従来、防火サッシに配置されて、ガラスの脱落を防止するガラス外れ止めは、枠体のガラスの室外側に配置固定されガラスの全周と略同程度の長さの長尺のベース金具と、ガラスを装着後に、室内側からベース金具に嵌合させる短尺の受け金具とから構成されており、ベース金具と受け金具でガラスを挟持していた。しかし、そのようなガラス外れ止めでは、ガラスのサイズに合わせてベース金具を製造する必要があり、製造性に劣っていた。
そこで、ガラスの室外側に長尺の金具を有しない、ベース金具と受け金具が短尺状に形成されたガラス外れ止めが公知となっている。（特許文献１）
【先行技術文献】
【特許文献】
【０００３】
【特許文献１】特許第５０５５３２１号公報
【発明の概要】
【発明が解決しようとする課題】
【０００４】
近年、建具には高い防火性能が求められており、上記特許文献１の建具においても、ガラスを保持するガラス間口には加熱発泡材（熱膨張製黒鉛）が配置されており、火災時には発泡してガラス間口の収容部に充満してガラスのシール材を覆うことにより複層ガラス間などに配置されるシール材の加熱を抑制して、シール材からの可燃ガスの発生を抑制していた。また、室内外の連通も防止するなどしていた。
しかし、ガラス間口の収容部にガラス外れ止めが配置されていることにより、その部分では、発泡した加熱発泡材の充満が妨げられ、複層ガラスの小口を覆うことができずに、シール材の加熱を抑制することができない可能性があった。また、室内外の連通を防止する点においても、ガラス外れ止めが配置されている部位において、加熱発泡材が充満しない空間が形成されて、室内外に連通する小さな隙間を生じる可能性があった。
【０００５】
本発明は、上記の事情を鑑みたものであり、火災時にガラスの落下を防止するガラス外れ止めをガラス間口の空間に配置しながら、火災時には、ガラス外れ止めが取り付けられている部位においても発泡した加熱発泡材を十分に充満させることができ、室内外に連通する隙間が生じるのを防止することができる防火サッシを提供することを目的とする。
【課題を解決するための手段】
【０００６】
本発明は、枠材が枠組されてなる枠体と、枠体の内周に装着されるパネル体と、パネル体の枠体からの外れを防止するためのパネル外れ止めを備え、枠材は、枠材本体と枠材本体の内周部分に配置される押縁部材とを有し、枠材本体と押縁部材とによってパネル体を保持するパネル間口が形成されており、パネル間口の底壁部分にパネル外れ止めが取り付けられているとともに、パネル間口を形成する枠材本体部分におけるパネル外れ止めの見込み方向一方側の室外側見付壁に加熱発泡材が枠材の長手方向略全長に亘って配置してあり、パネル外れ止めは、パネル間口の底壁部分に固定されるベース金具と、ベース金具に対して見込み方向の他方側から嵌合可能でありパネル体の他方側面に当接もしくは近接するガラス受け面を有する受け金具とからなり、ベース金具には、発泡した加熱発泡材がベース金具内の他方側に入り込むための欠損部が室外側見付壁に形成されていることを特徴とする。
【発明の効果】
【０００７】
本発明によれば、ガラスの落下を防止するガラス外れ止めをガラス間口の空間に配置しながら、火災時に、ガラス外れ止めが取り付けられている部位においても発泡した加熱発泡材を十分に充満させることができ、室内外に連通する隙間が生じるのを防止することができる。
【図面の簡単な説明】
【０００８】
【図１】本発明の実施形態に係るＦＩＸ建具の縦断面図である。
【図２】本発明の実施形態に係るＦＩＸ建具の横断面図である。
【図３】本発明の実施形態に係るＦＩＸ建具におけるガラス外れ止めの固定方法を説明するための図であり、（ａ）はガラス外れ止めの斜視図であり、（ｂ）は右縦枠のガラス外れ止めが装着される部分の斜視図である。
【図４】本発明の実施形態に係る建具に用いられるガラス外れ止めの図であり、（ａ）はガラス外れ止めの一部であるベース金具の側面図であり、（ｂ）は同ベース金具の正面図であり、（ｃ）は同ベース金具の底面図であり、（ｄ）はガラス外れ止めの一部である受け金具の側面図であり、（ｅ）は同受け金具の正面図であり、（ｆ）は同受け金具の底面図でる
【図５】本発明の実施形態に係るＦＩＸ建具におけるガラス外れ止めの固定方法を説明するための図であり、（ａ）はガラス外れ止めによって複層ガラスを保持する前の右縦枠の横断面図であり、（ｂ）はガラス外れ止めによって複層ガラスを保持した後の右縦枠の横断面図である。
【発明を実施するための形態】
【０００９】
（全体の構成）
図面を参照しながら、本発明の実施形態に係る建具を説明する。
本発明の実施形態に係る建具は、図１、２に示されるように、上枠１１，下枠１２及び左右の縦枠１３，１４を四周に組んでなり、建物開口部に固定してなる枠体１に対して、２枚のガラスパネルを積層してなる複層ガラス（パネル体）２を装着してなるＦＩＸ窓として構成されている。
【００１０】
図１に示すように、枠体１を構成する上枠１１は、アルミニウム合金の押出形材等により形成された金属上枠（枠材本体）１１１と、合成樹脂等の断熱性を有する材料から形成され金属上枠１１１の室内側内周面に取り付けられて上枠１１の室内側部分を構成する樹脂上枠１１２と、合成樹脂等の断熱性を有する材料から形成され樹脂上枠１１２の室外側に配置されて金属上枠１１１の室内側内周面に取り付けられる樹脂上押縁（押縁部材）１１３と、を備えており、金属上枠（枠材本体）１１１と樹脂上押縁（押縁部材）１１３とにより複層ガラス（パネル体）２を挿入するパネル間口が形成されている。
金属上枠１１１は、建物開口部の上方内周面を構成し室外側の上面に中空部を有する上枠本体部１１１ａと、上枠本体部１１１ａの室外側より下方に垂下して複層ガラス２を装着するパネル間口の室外側を構成する室外側壁１１１ｂと、上枠本体部１１１ａの室内側端に連接される室内側壁１１１ｃを備えている。
そして、上枠本体部１１１ａの下面室内側には、室内側壁１１１ｃに設けられた室内側爪部１１１ｄ及び中央爪部１１１ｅにより樹脂上枠１１２を固定するための樹脂上枠被係合部１１１ｆが形成されていると共に、樹脂上枠被係合部１１１ｆの室外側に設けられた室外側爪部１１１ｇと中央爪部１１１ｅとにより樹脂上押縁１１３を固定するための上押縁被係合部１１１ｈが形成されている。
【００１１】
樹脂上枠１１２は、建物開口部の室内側を覆う樹脂上枠本体部１１２ａと、樹脂上枠本体部１１２ａの室内側外周面(上面)に設けられる係合部１１２ｂを有しており、樹脂上押縁１１３は、断面中空矩形状の上押縁本体部１１３ａと、上押縁本体部１１３ａの外周面（上面）に設けられる係合部１１３ｂを有している。  
そして、樹脂上枠１１２は、金属上枠１１１の樹脂上枠被係合部１１１ｆに対して係合部１１２ｂを係合させることで金属上枠１１１の室内側内周面を覆うように取り付けられるとともに、樹脂上押縁１１３は、金属上枠１１１の上押縁被係合部１１１ｈに対して係合部１１３ｂを係合することで金属上枠１１１と樹脂上枠１１２の内周側から金属上枠１１１に対して取り付けられる。それにより、金属上枠（枠材本体）１１１の室外側壁１１１ｂと樹脂上押縁（押縁部材）１１３とによって、複層ガラス２を挿入するパネル間口が形成され、室外側壁１１１ｂの下端室内側面及び樹脂上押縁１１３の下端室外側面にそれぞれ装着されたシール材Ｓ，Ｓを介して、パネル間口に複層ガラス２の上辺が挿入されて固定されている。
【００１２】
枠体１を構成する下枠１２は、アルミニウム合金の押出形材等により形成された金属下枠（枠材本体）１２１と、合成樹脂等の断熱性を有する材料から形成され金属下枠１２１の室内側内周面に取り付けられて下枠１２の室内側部分を構成する樹脂下枠１２２とを備えている。
金属下枠１２１は、開口部下方内周面を構成し室外側の下面に中空部を有する下枠本体部１２１ａと、下枠本体部１２１ａの室外側より上方に延設して複層ガラス２を装着するパネル間口の室外側を構成する室外側壁１２１ｂと、下枠本体部１２１ａの室内側上面に形成される室内側中空部１２１ｃを備えている。
金属下枠１２１の下枠本体部１２１ａの中空部に対して室内側中空部１２１ｃが階段状に高くなるように形成されており、室内側中空部１２１ｃの上面には室内側中空部１２１ｃの上面室内端に設けられた室内壁爪部１２１ｄ及び室内側中空部１２１ｃの上面室外端に設けられた室外側爪部１２１ｅにより樹脂下枠１２２を固定するための樹脂下枠被係合部１２１ｆが設けられている。
【００１３】
樹脂下枠１２２は、開口部の室内側を覆う樹脂下枠本体部１２２ａと、樹脂下枠本体部１２２ａの室外側外周面(下面)に設けられる係合部１２２ｂを有している。
そして、金属下枠１２１の樹脂下枠被係合部１２１ｆに係合部１２２ｂを係合して、金属下枠１２１に対して樹脂下枠１２２を装着した状態で、金属下枠（枠材本体）１２１の室外側壁１２１ｂと樹脂下枠１２２の室外側面とによって、複層ガラス２の下辺を挿入するパネル間口が形成され、室外側壁１２１ｂの上端室内側面及び樹脂下枠１２２の上端室外側面にそれぞれ装着されたシール材Ｓ，Ｓを介して、パネル間口に複層ガラス２の下辺が挿入されて固定されている。
【００１４】
図２に示すように、枠体１を構成する左縦枠１３は、アルミニウム合金の押出形材等により形成された金属左縦枠（枠材本体）１３１と、合成樹脂等の断熱性を有する材料から形成され金属左縦枠１３１の室内側内周面に取り付けられて左縦枠１３の室内側部分を構成する樹脂左縦枠１３２と、合成樹脂等の断熱性を有する材料から形成され金属左縦枠１３１の室内側内周面に取り付けられる樹脂左縦押縁（押縁部材）１３３と、を備えており、金属左縦枠（枠材本体）１３１と樹脂左縦押縁（押縁部材）１３３とにより複層ガラス（パネル体）２を挿入するパネル間口が形成されている。
金属左縦枠１３１は、建物開口部の内周面を構成する左縦枠本体部１３１ａと、左縦枠本体部１３１ａの室外側より内周方向に延設して複層ガラス２を装着するパネル間口の室外側を構成する室外側壁１３１ｂを備えている。そして、左縦枠本体部１３１ａの内周面室内側には、室内端部より内周に延設される室内側爪部１３１ｃと室内側爪部１３１ｃの室外側から内周に延設される中央爪部１３１ｄとにより樹脂左縦枠１３２を固定するための樹脂左縦枠被係合部１３１ｅが形成されていると共に、樹脂左縦枠被係合部１３１ｅの室外側に設けられた室外側爪部１３１ｆと中央爪部１３１ｄとにより樹脂左縦押縁１３３を固定するための左縦押縁被係合部１３１ｇが形成されている。
【００１５】
樹脂左縦枠１３２は、建物開口部の室内側を覆う樹脂左縦枠本体部１３２ａと、樹脂左縦枠本体部１３２ａの室外側外周面に設けられる係合部１３２ｂを有しており、樹脂左縦押縁１３３は、断面中空矩形状の左縦押縁本体部１３３ａと、左縦押縁本体部１３３ａの外周面に設けられる係合部１３３ｂを有している。
そして、樹脂左縦枠１３２は、金属左縦枠１３１の樹脂左縦枠被係合部１３１ｅに対して係合部１３２ｂを係合させることで金属左縦枠１３１の室内側内周面を覆うように取り付けられるとともに、樹脂左縦押縁１３３は、金属左縦枠１３１の左縦押縁被係合部１３１ｇに対して係合部１３３ｂを係合することで金属左縦枠１３１と樹脂左縦枠１３２の内周側から金属左縦枠１３１に対して取り付けられる。それにより、金属左縦枠（枠材本体）１３１の室外側壁１３１ｂと樹脂左縦押縁（押縁部材）１３３とによって、複層ガラス２を挿入するパネル間口が形成され、室外側壁１３１ｂの内周端室内側面及び樹脂左縦押縁１３３の内周端室外側面にそれぞれ装着されたシール材Ｓ，Ｓを介して、パネル間口に複層ガラス２の左縦辺が挿入されて固定されている。
なお、左右の縦枠１３，１４の構成は、基本的に左右で相違するものでなく、右縦枠１４についての説明は省略する。
【００１６】
複層ガラス(パネル体)２は、室内側ガラスパネル２１と室外側ガラスパネル２２とをスペーサ２３を介して積層して形成されており、複層ガラス（パネル体）２の下辺部分は下枠１２のパネル間口に対してガラス敷板１２４を介して支持されている。また、複層ガラス（パネル体）２の上枠部分及び左右縦枠部分は、上枠１１及び左、右縦枠１３，１４のパネル間口内に挿入されるとともに、図示しないセッティングブロック等により支持されるなどして配置されており、上枠１１及び左、右縦枠１３，１４のパネル間口内の上枠本体部１１１ａ、及び左、右縦枠本体部１３１ａ，１４１ａに固定されたガラス外れ止め（パネル外れ止め）５により室内側への脱落が防止されている。
【００１７】
（ガラス外れ止め）
本実施形態に係る建具に用いられるガラス外れ止め５について、右縦枠１４に取り付けられるガラス外れ止め５を用いて説明する。
ガラス外れ止め５は、図３（ａ）に示すように、ベース金具５１と受け金具５２とにより構成されており、図３（ｂ）に示すように、ベース金具５１が、右縦枠１４のパネル間口の溝底を形成する右縦枠本体部１４１ａに対してビス等の固定手段ｂにより固定されており、ベース金具５１に対して受け金具５２を室内側から装着することで、図１，２に示すように、複層ガラス２の室内側への脱落を防止するガラス外れ止め５が形成される。
【００１８】
ガラス外れ止め５のベース金具５１は、図４（ａ）〜（ｃ）に示すように、金属右縦枠（枠材本体）１４１のガラス間口の溝底を形成する部位である右縦枠本体部１４１ａに対してネジ等の固定手段ｂにより固定される固定面５１ａと、固定面５１ａよりも長手方向で短い寸法を有し固定面５１ａの室外端部から固定面５１ａの長手方向中央において内周側に屈曲して形成された室外見付け面５１ｂと、固定面５１ａよりも長手方向で長い寸法を有し室外見付け面５１ｂの内周端部から室内側に屈曲して形成された内周壁５１ｃと、固定面５１ａの長手方向端部が内周側に起立して形成された一対の起立面５１ｄ，５１ｄを有する短尺部材として形成されている。
そして、内周壁５１ｃは、ベース金具５１の長手方向中央部分が切欠かれてガイド部５１ｅが形成されているとともに、ガイド部５１ｅの両側であって起立面５１ｄ，５１ｄと対向する部分に受け金具５２を係合するための係合孔５１ｇ，５１ｇが形成されている。
固定面５１ａには、ネジ止め固定のためのネジ孔５１ｆが形成されているとともに、右縦枠本体部１４１ａにもベース金具５１を取り付けるためのネジ孔（図示はない。）が形成されており、ベース金具５１を右縦枠本体部１４１ａの内周に配置して起立面５１ｄ，５１ｄの室内側端部を右縦枠本体部１４１ａに設けられた室外側爪部１４１ｆに当接することで位置決めして固定することにより、１カ所のネジ止め固定によりがたつくことなく安定した装着をすることができる。
また、ガラス外れ止め５を室外側爪部１４１ｆに当接するように室内側に寄せて取り付けることで、ガラス外れ止め５の室外側に加熱発泡材を配置する領域を形成することができ、加熱発泡材を枠材の長手方向の全長に亘って通しで設けることもできる。
【００１９】
一方、ガラス外れ止め５の受け金具５２は、図４（ｄ）〜（ｆ）に示すように、ベース金具５１に対して係合される見込み面５２ａと、見込み面５２ａの室内端部の長手方向中央部分が内周側に屈曲して形成されたガラス受け面５２ｂとを備え、断面略Ｌ字状の短尺部材として形成されている。
見込み面５２ａの長手方向中央部分は、ガラス受け面５２ｂ側を基点に内周側に切起こしてなる被ガイド部５２ｄが形成されており、被ガイド部５２ｄの長手方向両側には反ガラス受け面５２ｂ側を基点に内周側に切起こしてなる切起し片５２ｃ，５２ｃを有する嵌合部５２ｅ，５２ｅが形成されている。
【００２０】
そして、ガラス外れ止め５によって複層ガラス２を保持するに際しては、図５（ａ）に示すように、右縦枠１４の右縦枠本体部１４１ａに対して固定面５１ａがビスｂ等により固定されたベース金具５１の起立面５１ｄ，５１ｄの内周端と内周壁５１ｃとの間ｘに、受け金具５２の見込み面５２ａが室内側から挿入される。
その際、受け金具５２の被ガイド部５２ｄがベース金具５１のガイド部５１ｅに沿って案内されることで、受け金具５２が傾斜した状態で挿入されることが規制される。
【００２１】
受け金具５２が挿入されるにしたがって、受け金具５２の嵌合部５２ｅ，５２ｅの切起し片５２ｃ,５２ｃが内周壁５１ｃの外周面に当接して弾性により変形した後に、内周壁５１ｃの係合孔５１ｇ，５１ｇにより復元して係合孔５１ｇ，５１ｇに係合する。
その結果、図５（ｂ）に示すように、受け金具５２の嵌合部５２ｅ，５２ｅがベース金具５１の起立面５１ｄ，５１ｄと内周壁５１ｃとの間に挿入された状態で嵌合して固定されるとともに、受け金具５２のガラス受け面５２ｂが複層ガラス２の室内側面に当接もしくは近接することで、ガラスを保持することができる。
【００２２】
このように、ベース金具５１に対して受け金具５２を固定する際に、受け金具５２の被ガイド部５２ｄがベース金具５１のガイド部５１ｅに沿って案内されるので、受け金具５２が傾斜した状態で挿入されることを規制して、受け金具５２の切起し片５２ｃ，５２ｃをベース金具５１の係合孔５１ｇ，５１ｇに確実に係止することができる。
そして、上記ガラス外れ止め５は、枠体１の上枠部分及び左右の縦枠部分に配置されており、複層ガラス２は、上辺及び左右縦辺において室内側が右縦枠本体部１４１ａに固定されたガラス外れ止め５に当接もしくは近接して、火災により建具の室内側に配置された樹脂枠部分が溶解しても、複層ガラス２が室内側に外れて落下することが抑制される。
このとき、ガラス外れ止め５の受け金具５２は、ベース金具５１の起立面５１ｄ，５１ｄの内周端の内周側に配置されているので、複層ガラス２の端面に近い位置に配置されることとなり、複層ガラス２の室内側面に当接もしくは近接するガラス受け面５２ｂの見付け方向の寸法を必要以上に大きくする必要が無く、火災時のガラス受け面５２ｂの変形を少なくすることができて複層ガラス２の外れを確実に抑制することができる。
【００２３】
なお、ガラス外れ止め５は短尺状に形成されているので、ベース金具５１に嵌合された受け金具５２の嵌合部５２ｅ，５２ｅの内周側と、ベース金具５１の内周壁５１ｃの外周側間に、例えばマイナスドライバー等の工具を室内側から室外側に向けて差し込んで先端をコジるだけで、受け金具５２の切起し片５２ｃ，５２ｃとベース金具５１の係合孔５１ｇ，５１ｇとの係合を解除することができ、受け金具５２を室内側に取り外し可能とすることができる。
したがって、複層ガラス２を構成する室内外のガラスパネル２１，２２が破損した場合などには、受け金具５２を容易に取り外して交換することができ、メンテナンス性に優れている。
【００２４】
本実施形態の建具において短尺のガラス外れ止め５は、縦枠に設けられる場合には、高さ寸法が１１００ｍｍ以上の場合には２箇所に設置し、１１００ｍｍ未満の場合は高さ方向中央付近に１箇所設置すればよいが、特に、ガラス外れ止め５の設置数や設置場所は限定されるものではない。
【００２５】
（防火構造）
本実施形態に係るＦＩＸ建具の枠体１は、下枠部分については、金属下枠１２１と樹脂下枠１２２とによりパネル間口が形成され、上枠部分については、アルミニウム合金の押出形材等からなる金属上枠１１１と樹脂上押縁１１３とにより、左右の縦枠部分については、金属左縦枠１３１、金属右縦枠１４１と樹脂左縦押縁１３３、樹脂右縦押縁１４３とによりパネル間口が形成され、上枠及び左右縦枠の三方が内押縁として構成されている。
そして、各ガラス間口内には、複層ガラス２の略全周にわたって加熱発泡材が配置されており、火災時に、加熱発泡材が複層ガラス２の小口に向かって全周から発泡するように構成されている。
【００２６】
具体的には、図１に示すように、上枠部分については、金属上枠１１１の室外側壁１１１ｂの室内側面に長さ方向略全長に亘って加熱発泡材６１が配置されており、加熱発泡材６１は複層ガラス２の上端小口に向かって配置されている。このため、火災が発生した際には、加熱発泡材６１は、複層ガラス２の上端小口に向かって膨張する。
また、上枠部分のパネル間口内に配置されたガラス外れ止め５のガラス受け面５２ｂの室外側面に加熱発泡材６６が配置されており、火災が発生した際には、加熱発泡材６６は、複層ガラス２の上端小口に向かって膨張する。
【００２７】
下枠部分については、上枠部分と同様に、金属下枠１２１の室外側壁１２１ｂの室内側面に長さ方向略全長に亘って加熱発泡材６２が配置されており、加熱発泡材６２は複層ガラス２の下端小口に向かって配置されている。このため、火災が発生した際には、加熱発泡材６２は、複層ガラス２の下端小口に向かって膨張する。
【００２８】
また、図２に示すように、左縦枠部分については、上枠部分や下枠部分と同様に、金属左縦枠１３１の室外側壁１３１ｂの室内側面に長さ方向略全長に亘って加熱発泡材６３が配置されている。さらに、左縦枠１３のパネル間口の溝底のガラス外れ止め５の室外側部分に加熱発泡材６４が縦枠の長さ方向略全長に亘って配置されているとともに、パネル間口の溝底の見込み方向でガラス外れ止め５が配置されている位置については、ガラス外れ止め５が配置されていない部位に加熱発泡材６５が断続的に配置されている。
さらに、左縦枠部分のパネル間口内に配置されたガラス外れ止め５のガラス受け面５２ｂの室外側面に加熱発泡材６６が配置されている。
そして、火災が発生した際には、加熱発泡材６３，６４，６５，６６は、複層ガラス２の左右端小口に向かって膨張する。
このように、各加熱発泡材６１ないし加熱発泡材６６は、火災が発生した際には、複層ガラス２の小口に向かって発泡することで、複層ガラス２の全周に亘って配置されるシール材の加熱を抑制して、シール材からの可燃ガスの発生を抑制したり、室内外の連通を防止する。
なお、左右の縦枠１３，１４の防火構成は、基本的に左右で相違するものでなく、右縦枠１４の防火構造についての説明は省略している。
【００２９】
そして、金属枠体１１１、１２１，１３１，１４１に配置した加熱発泡材６１ないし加熱発泡材６５が膨張する際に、発泡する空間にはガラス外れ止め５のベース金具５１が存在するが、ベース金具５１が短尺状であるために、まず、ベース金具５１が存在していない領域において複層ガラス２の小口に向かって発泡して複層ガラス２の小口を覆うことができる。
そして、ガラス外れ止め５のベース金具５１が存在する領域においては、ベース金具５１は、加熱発泡材６１ないし加熱発泡材６４が発泡するガラス外れ止め５の室外側領域に対向する室外見付け面５１ｂが固定面５１ａの長手方向寸法よりも短い寸法を有して中央のみ形成されており、ベース金具５１の室外見付け面５１ｂの長手方向両側に隙間５１ｈ，５１ｈが形成されているので、発泡する加熱発泡材６１ないし加熱発泡材６４は、図４（ｂ）及び図５（ｂ）の矢印Ｙに示すように、隙間５１ｈ，５１ｈを通ってガラス外れ止め５のベース金具５１の室内側に向かって入り込むことができる。そのため、ガラス外れ止め５の存在する領域において加熱発泡材６１ないし６４が分断されることなく略連続的にガラス間口の空間内に充満することができ、また、ガラス外れ止め５のベース金具５１と受け金具５２との嵌合部分も覆うことができる。
それにより、ガラス外れ止め５により保持されている複層ガラス２の小口全域を、膨張した加熱発泡材６１ないし加熱発泡材６５により金属枠体１１１、１２１，１３１，１４１と一体的に覆うことができるので、複層ガラス２が脱落することを抑制することができるとともに、室内外の炎の貫通を効果的に防止することができる。
【００３０】
以上のように、本実施形態の建具のガラス外れ止め５は、金属枠材（枠材本体）に固定する固定面の室外側（一方側）に立ち上がる室外見付け面をガラス外れ止め５の長手方向の寸法よりも短く形成して室外見付け面の長手方向両側には隙間を形成しているので、金属枠材（枠材本体）のガラス外れ止め５の一方側に配置された加熱発泡材が発泡した時には、該隙間を通ってガラス外れ止め５の内部に侵入することができ、枠体の長手方向全長に亘って配置した加熱発泡材がガラス外れ止めの設置部分において分断されることがなく、良好な防火構造を構築することができる。
【００３１】
なお、本実施形態は、ＦＩＸ建具を用いて説明しているが、本発明の建具は、ＦＩＸ建具に限定されることなく、ガラス外れ止め及び加熱発泡材の構成は、障子の框に対するガラスパネルの外れ止め及び防火構造として採用することもできる。
また、押縁部材も枠体の室内側に配置されるものに限るものではなく、室外側に押縁を配置するものでもよいし、枠体や押縁の材料についても特に限定されるものではなく、建具の枠材や押縁として用いることの出来る材料であれば、どのような材料を用いてもよい。
【００３２】
そして、本実施形態のガラス外れ止めにおいては、加熱発泡材が侵入するための隙間は、ガラス外れ止めの長手方向用端部に形成しているが、特にその位置は限定されるものではなく、ガラス外れ止めの室外側（一方側）からガラス外れ止めの内部(他方側)に発泡した加熱発泡材が侵入することができればよい。
さらに、本実施形態においては、下枠部分にはガラス外れ止めを配置していないが、下枠部分についても上枠部分や縦枠部分同様にガラス外れ止めを配置してもよく、その際には、樹脂下枠を押縁部材として用いてガラス間口を形成することもできるが、上枠部分や縦枠部分同様に押縁を設けてパネル間口を形成しても良い。
【符号の説明】
【００３３】
１        ：枠体
１１      ：上枠
１１１    ：金属上枠
１１１ａ  ：上枠本体部
１１１ｂ  ：室外側壁
１１１ｃ  ：室内側壁
１１１ｄ  ：室内側爪部
１１１ｅ  ：中央爪部
１１１ｆ  ：樹脂上枠被係合部
１１１ｇ  ：室外側爪部
１１１ｈ  ：上押縁被係合部
１１２    ：樹脂上枠
１１２ａ  ：樹脂上枠本体部
１１２ｂ  ：係合部
１１３    ：樹脂上押縁
１１３ａ  ：上押縁本体部
１１３ｂ  ：係合部
１２      ：下枠
１２１    ：金属下枠
１２１ａ  ：下枠本体部
１２１ｂ  ：室外側壁
１２１ｃ  ：室内側中空部
１２１ｄ  ：室内壁爪部
１２１ｅ  ：室外側爪部
１２１ｆ  ：樹脂下枠被係合部
１２２    ：樹脂下枠
１２２ａ  ：樹脂下枠本体部
１２２ｂ  ：係合部
１２４    ：ガラス敷板
１３      ：左縦枠
１３１    ：金属左縦枠
１３１ａ  ：左縦枠本体部
１３１ｂ  ：室外側壁
１３１ｃ  ：室内側爪部
１３１ｄ  ：中央爪部
１３１ｅ  ：樹脂左縦枠被係合部
１３１ｆ  ：室外側爪部
１３１ｇ  ：左縦押縁被係合部
１３２    ：樹脂左縦枠
１３２ａ  ：樹脂左縦枠本体部
１３２ｂ  ：係合部
１３３    ：樹脂左縦押縁
１３３ａ  ：左縦押縁本体部
１３３ｂ  ：係合部
１４      ：右縦枠
１４１    ：金属右縦枠
１４１ａ  ：右縦枠本体部
１４１ｆ  ：室外側爪部
１４３    ：樹脂右縦押縁
２        ：複層ガラス
５        ：ガラス外れ止め
５１      ：ベース金具
５１ａ    ：固定面
５１ｂ    ：室外見付け面
５１ｃ    ：内周壁
５１ｄ    ：起立面
５１ｅ    ：ガイド部
５１ｆ    ：ネジ孔
５１ｇ    ：係合孔
５１ｈ    ：隙間
５２      ：受け金具
５２ａ    ：見込み面
５２ｂ    ：ガラス受け面
５２ｃ    ：切起し片
５２ｄ    ：被ガイド部
５２ｅ    ：嵌合部
６１〜６６：加熱発泡材
【図１】
0006695742.tif 000002
【図２】
0006695742.tif 000003
【図３】
0006695742.tif 000004
【図４】
0006695742.tif 000005
【図５】
0006695742.tif 000006